(57)【要約】【課題】室内に非常事態が発生したり誤操作により室内からロックが解除できない場合等に室外からサムターンのロックを解除できる屋内ドアのロック装置を提供すること。【解決手段】サムターンを操作してデッドボルト３をドア側端面から出没させて施錠・解錠するサムターン錠１を備えた屋内ドアのロック装置において、屋内ドアＡの室内面側にサムターン錠１を操作する室内サムターンレバー４を設けるとともに、上記屋内ドアＡの室外面側に前記サムターン錠１を操作する室外サムターンレバー２を設け、該室外サムターンレバー２をつまみ部２１とサムターンを操作する係合部２２とから構成し、室外サムターンレバー２をサムターン錠１に対して着脱自在としてなる屋内ドアのロック装置。【選択図】図１
2012112138.tif 000002
【特許請求の範囲】
【請求項１】
サムターンを操作してデッドボルトをドア側端面から出没させて施錠・解錠するサムターン錠を備えた屋内ドアのロック装置において、屋内ドアの室内面側にサムターン錠を操作する室内サムターンレバーを設けるとともに、上記屋内ドアの室外面側に前記サムターン錠を操作する室外サムターンレバーを設け、該室外サムターンレバーをつまみ部とサムターンを操作する係合部とから構成し、室外サムターンレバーをサムターン錠に対して着脱自在としてなる屋内ドアのロック装置。
【請求項２】
屋内ドアの室外面外にサムターン錠の被係合部を突出して設け、該突出被係合部に着脱自在に保持されるカバー体に室外サムターンレバーを設けてなる本願請求項１に記載の屋内ドアのロック装置。
【発明の詳細な説明】
【技術分野】
【０００１】
本願発明は屋内ドアのロック装置に関するものであり、詳しくは、浴室、脱衣室、トイレ等、屋内のプライベート空間に不意に人が入ってきたり、不在と誤認してドアを開けることを防止するための屋内ドアのロック装置に関するものである。
【背景技術】
【０００２】
通常、主としてドア錠として用いられるサムターン錠は防犯を主目的として、屋外側からはキーを用いて施錠・解錠するとともに、屋内側から例えばレバー式のサムターンを回動させてデッドボルトをドアの側端面から出没させ、施錠・解錠する形式のものが知られている。
【０００３】
例えば、特開２００４−１３２０１２号公報には、室内側でサムターンを操作してデッドボルトをドア側端面から出没させ施錠・解錠するためのサムターン錠において、円筒状の前記サムターンの内周壁面と、シリンダー錠の外筒の外周壁面との間に、前記サムターン錠の軸心廻りに回転自在な円筒状のインジケータが設けられ、該インジケータの前端面が外部に露出しているとともに、該前端面の一部に当該インジケータの回転を視認可能にする表示手段が設けられたサムターン錠が開示されている。
【０００４】
そして、不審者がドア近辺の窓ガラスを破壊して工具や手等を差し込んでサムターンを操作し、解錠するという不正な解錠操作を防ぎ、防犯性が向上したサムターン錠を提供できるとその効果が述べられている。
【０００５】
一方、戸建住宅、マンション等の屋内においても、リビングルームや廊下等、家族の共通スペースと屋内の浴室、脱衣室、トイレ等のプライベート空間との間仕切りに、例えば浴室内（室内）からサムターンを操作して施錠し、外側（室外）から戸が開かないように内鍵でロックできる浴室用ドアが普及している。
【０００６】
しかしながら、浴室内で人が倒れたりした等の非常事態が発生したとき、あるいは幼児や老人がサムターンレバーを誤って操作してドアがロックされた場合には、脱衣室（室外）側からロックされたサムターンを解除する必要がある。
【０００７】
従来、上記室外側からのサムターンのロック解除は、緊急解錠用としてサムターン錠の室外側に設けられた溝部にコインやドライバー等の先端を差し込み回動して行うことが一般的である。しかしながら、入浴者が倒れたりした場合等、浴室外の人は気が動転して混乱状態となり、コイン等を探すことができずに手間がかかり、即座にロックを解除して病人を救助することができないという問題がある。
【先行技術文献】
【特許文献】
【０００８】
【特許文献１】特開２００４−１３２０１２号公報
【発明の概要】
【発明が解決しようとする課題】
【０００９】
本願発明は上記背景技術に鑑みてなしたものであり、その目的は、例えば、浴室等の室内に不意に人が入ってきたり、不在と誤認してドアを開けることを防ぐための内鍵をサムターンとして室内に設け、ロックできるとともに、室内に非常事態が発生したり、こどもや老人等の誤った操作によって室内からロックが解除できない場合等に室外から容易にサムターンを操作してロックを解除することが可能な屋内ドアのロック装置を提供することである。
【課題を解決するための手段】
【００１０】
上記課題を解決するために、本願請求項１に記載の発明に係る屋内ドアのロック装置では、サムターンを操作してデッドボルトをドア側端面から出没させて施錠・解錠するサムターン錠を備えた屋内ドアのロック装置において、屋内ドアの室内面側にサムターン錠を操作する室内サムターンレバーを設けるとともに、上記屋内ドアの室外面側に前記サムターン錠を操作する室外サムターンレバーを設け、該室外サムターンレバーをつまみ部とサムターンを操作する係合部とから構成し、室外サムターンレバーをサムターン錠に対して着脱自在としてなることを特徴としている。
【００１１】
本願請求項２に記載の発明に係る屋内ドアのロック装置では、本願請求項１に記載の屋内ドアのロック装置において、屋内ドアの室外面外にサムターン錠の被係合部を突出して設け、該突出被係合部に着脱自在に保持されるカバー体に室外サムターンレバーを設けてなることを特徴としている。
【発明の効果】
【００１２】
本願請求項１記載の発明に係る屋内ドアのロック装置においては、リビングルームや廊下等、家族の共通スペースと屋内の浴室、脱衣室、トイレ等のプライベート空間とを間仕切る屋内ドアに、例えば浴室内（室内）からサムターンを操作して施錠し、屋内ドアの室内面側にサムターン錠を操作する室内サムターンレバーを設けるとともに、上記屋内ドアの室外面側に前記サムターン錠を操作する室外サムターンレバーを着脱自在に設けているため、通常は室外サムターンレバーを外して目立たない所に保管することができ、外観性をよくすることができる。
【００１３】
また、室外サムターンレバーをこどもの手が届かない高い場所に保管すれば、こどものイタズラ等によってサムターン錠が突然解除されて間仕切りドアが開くという問題も防ぐことができる。
【００１４】
このように、室外サムターンレバーを着脱自在とすることにより、こどものイタズラ防止用のチャイルドロックをこどもの手の届かない所に外付けする必要がないため見栄えがよくなり、同じ化粧座にドアノブとサムターン錠とを配置することが可能となって屋内ドアの意匠性を向上させることができる。
【００１５】
本願請求項２記載の発明に係る屋内ドアのロック装置においては、屋内ドアの室外面外にサムターン錠の被係合部を突出して設け、該突出被係合部に着脱自在に保持されるカバー体に室外サムターンレバーを設けているため、カバー体裏面に凸設された側面視山状の係合片が緊急解錠用としての既設の溝部を利用し、この溝部に係合、回動させることにより、ロックを解除することができる。
【００１６】
さらに、こどもが大きくなる等家族構成の変化によってサムターンによるロックが不要となった場合においては、室外サムターンレバーを取り外し、通常の間仕切りドアとして使用することができる。
【図面の簡単な説明】
【００１７】
【図１】屋内ドアに取り付けられた本願発明に係るロック装置の概略構成を示す外観説明図。
【図２】本願発明に係るサムターン錠をドアに内設した状態を示す縦断面図。
【図３】図２に示すＸ−Ｘ線に沿う断面図。
【図４】本願発明に係る室外サムターンレバーの第２の実施形態を示す横断面図。
【図５】ラッチがデッドボルトを兼ねる本願発明の第３の実施形態に係るサムターン錠を屋内ドアに内設した状態を示す縦断面図。
【発明を実施するための形態】
【００１８】
以下、本願発明に係る屋内ドアのロック装置の実施形態について図面を参照して詳細に説明する。
【００１９】
図１は屋内ドアＡに取り付けられた本願発明に係るロック装置の概略構成を示す外観説明図である。図１に示すように、上記サムターン錠のロック装置は、サムターン錠１とこのサムターン錠１を操作する室外サムターンレバー２とからなり、室外サムターンレバー２はつまみ部２１とサムターンを操作する係合部２２とから構成されている。
【００２０】
サムターン錠１は、内設されたカムの動作によりデッドボルト３を屋内ドアＡの側端面から出没させて施錠・解錠を行う。図１は、上記デッドボルト３を没の状態にしてロックを解除した状態を示す。また、図示するように、室外サムターンレバー２の係合部２２はサムターン錠１の室外側の頂面に形成した断面略方形の鍵穴５に対して着脱自在とされている。
【００２１】
図２は、上記サムターン錠１をドアＡに内設し、デッドボルト３を没とした状態を示す縦断面図である。図２に示すように、サムターン錠１はカム１１とコイルばね１２とデッドボルト３とから構成され、デッドボルト３の後端部にはフランジ３１が形成されており、該デッドボルト３に嵌挿されたコイルばね１２が該フランジ３１とサムターン１のケース１５の内面との間に圧縮介装されており、該コイルばね１２の付勢によって該デッドボルト３は通常、屋内ドアＡの側端面に没の状態とされている。
【００２２】
室外サムターンレバー２をコイルばね１２の付勢に抗して回動させると、該室外サムターンレバー２の回動に連動して回動するカム１１がデッドボルト３のフランジ３１を図２において右方向に押し出し、該デッドボルト３を出の状態とすると、デッドボルト３の先端は縦框Ｂに穿たれた嵌入部３ａに嵌入してサムターン錠１はロックされる（図２の２点鎖線で示す状態）。
【００２３】
図３は、上記図２に示すＸ−Ｘ線に沿う断面図である。図３において、室内側、例えば浴室内から室内サムターンレバー４を操作することによってカム１１は回動し、上記と同様の動作状態によって、サムターン錠１はロックされる。一方、サムターン錠１をロックした状態で、例えば入浴者が倒れたりした場合等は室内からロックを解除できないため、室外からサムターン錠１のロックを解除して救出する必要がある。
【００２４】
通常は室外サムターンレバー２は浴室に不用意に人が入って来ないようサムターン錠１から外されて所定の浴室外の別所に保管されているが、このように入浴者がサムターン錠１を解除できないという非常時のとき、サムターン錠１に対して着脱自在とされた室外サムターンレバー２の係合部２２をサムターン錠１の室外側に設けられた断面略方形の鍵穴５に挿入し、カム１１を回動させてコイル１２の復元力によってデッドボルト３を没の状態に復帰させてサムターン錠１のロックを解除する。かくして、室内からロックされたサムターン錠１を室外から解錠することができ、入浴者の救助等を行うことができる。
【００２５】
図４は、室外サムターンレバー２の第２の実施形態を示す横断面図である。図４に示すように第２実施形態においては、屋内ドアＡの室外面外に突出してサムターン錠１の突出被係合部１３が設けられ、この突出被係合部１３にカバー体６を介して室外サムターンレバー２が着脱自在に保持される。
【００２６】
上記カバー体６は合成ゴム、合成樹脂等の弾性体からなり、カバー体６のカバー部裏面には側面視山状の係合片２３が凸設されるとともに、サムターン錠１の突出被係合部１３には、上記係合片２３が係合する溝部１４が凹設されている。また、カバー体６の内周面には凸部６１が周設され、上記突出被係合部１３の外周面には上記凸部６１が係合する環状の凹部１３１が周設されている。
【００２７】
上記弾性体からなるカバー体６とサムターン錠１の突出被係合部１３とは上記凸部６１と凹部１３１とが着脱自在に弾性係合する。このようにすることにより、室外サムターンレバー２はカバー体６を介して突出被係合部１３に着脱自在に保持される。
【００２８】
図５は、ラッチ７がデッドボルトを兼ねる本願発明の第３の実施形態に係るサムターン錠１を屋内ドアＡに内設した状態を示す縦断面図である。
【００２９】
図５に示すように、ラッチ７は通常、板ばね１０とコイルばね１２との弾性力により縦框Ｂに設けられたラッチ受け７ａに嵌入されて屋内ドアＡを閉じた状態に保つ。即ち、板ばね１０は圧縮ばねであり該板ばね１０は歯車８１に突設した突起８１１を介して該歯車８１を同図右回転方向に付勢しておりその結果歯車８１がラック８を右方向に押し出し、その結果コイルばね１２の復元力によってラッチ７がラッチ受け７ａに嵌入されている。
【００３０】
歯車８１に形成された該突起８１１はサムターンのケース１５の内面に形成した２個のストッパー８１２、８１２間で往復回動する。
【００３１】
また、サムターン錠１はその回動軸１０１に対して直角方向にレバー１１１が固着形成されており、該レバー１１１の先端部に形成した長孔１１２にストッパー９の上端部９１に固着した突起９２が嵌挿されている。即ち、レバー１１１の先端部にはストッパー９の上端部９１が上下動自在に、且つ、回動自在に連結されている。更に、該レバー１１１の先端はケース１５の内面に形成した山形の板ばね９ａによってクリック可能に上下するよう弾接している。屋内ドアＡが閉じられているときは、図５に実線で示すようにラッチ７がラッチ受け７１に嵌入されている。この状態ではラッチ７はロックされていない状態に保たれている。従って、ラッチ７は、ドアノブの回転運動を直線運動に変換するラック８の作用によってラッチ受け７ａから抜脱可能であり、屋内ドアＡは開閉自在とされている。
【００３２】
この状態で、浴室内で室内サムターンレバーを介してサムターン錠１の回動軸１０１を回動すると、レバー１１１の先端が板ばね９ａの弾性力に抗してクリック動作して下方に下がり、その結果として上記ストッパー９が同図の２点鎖線で示す位置まで下降し、該ストッパー９の下端部９３が該ラッチ７の後端背部に位置する。この状態では、ストッパー９の下端部９３がラック８の左方向への移動を阻止してラッチ７はラッチ受け７ａから抜脱できず、デッドボルトとして機能する。
【００３３】
なお、ストッパー９はその上端部９１の突起９２がレバー１１１の先端部に形成した長孔１１２にガイドされ、且つ、その下端部９３がサムターンのケース１５に形成したガイド孔１５１にガイドされ、安定した上下運動を行う。
【００３４】
そして、上記ラッチ７をロックした状態で、入浴者が倒れたりした場合等には、所定場所に保管されていた、室外サムターンレバーを鍵穴に挿入し、ストッパー９を図５の実線で示す上方位置に移動させることにより、浴室内からロックされたラッチ７を室外からロック解除することができる。
【００３５】
上記実施形態は室内用のドアに本願発明に係る屋内ドアのロック装置を適用した場合について述べたが、引き違い戸に適用してもよく、また、浴室、脱衣室、トイレ等のみならず寝室、こども部屋、客間等の屋内ドアに用いてもよい。このように本願発明は設計変更自在であり、特許請求の範囲を逸脱しない限り、本願発明の技術的範囲に含まれる。
【符号の説明】
【００３６】
Ａ      屋内ドア
Ｂ      縦框
１      サムターン錠
１０１  サムターン錠の回動軸
１１    カム
１１１  レバー
１１２  レバーに形成した長孔
１２    コイルばね
１３    突出被係合部
１３１  凹部
１４    溝部
１５    サムターンのケース
１５１  ストッパーのガイド孔
２      室外サムターンレバー
２１    つまみ部
２２    係合部
２３    係合片
３      デッドボルト
３１    デッドボルトのフランジ
３ａ    嵌入部
４      室内サムターンレバー
５      鍵穴
６      カバー体
６１    凸部
７      ラッチ
７ａ    ラッチ受け
８      ラック
８１    歯車
８１１  突起
８１２  ストッパー
９      ストッパー
９１    ストッパーの上端部
９２    ストッパーの上端部に固着した突起
９３    ストッパーの下端部
９ａ    板ばね
１０    板ばね
【図１】
2012112138.tif 000003
【図２】
2012112138.tif 000004
【図３】
2012112138.tif 000005
【図４】
2012112138.tif 000006
【図５】
2012112138.tif 000007